(57)【要約】【課題】均一に砕石を撒布することができ、敷均作業の労力およびコストを低減することができる砕石撒布バケットを提供する。【解決手段】砕石撒布バケット２は、支持部２１により開口部２６が上方となるように支持されると共に、傾斜部２４は該傾斜部２４と水平面Ｇとの挟角θが５０°以下となるように底部２３から延出される。【選択図】図３
0003177722.tif 000002
【実用新案登録請求の範囲】
【請求項１】
バックホーのアームの先端に取り付けられて砕石の敷均のために砕石を撒布する砕石撒布バケットであって、
前記バックホーのアームの先端にバケットシリンダにより揺動自在に支持される支持部と、
前記支持部に連結された横長の背面部と、
前記背面部から湾曲した底部と、
前記底部から前記背面部と反対側に延出された平面状の傾斜部と、
前記背面部と底部と傾斜部との左右両端に垂直に取り付けられた側板部と、
前記背面部と前記傾斜部と前記側板部とに囲まれた開口部と
を備え、
前記支持部により前記開口部が上方となるように支持されると共に、前記傾斜部は該傾斜部と水平面との挟角が５０°以下となるように前記底部から延出されることを特徴とする砕石撒布バケット。
【請求項２】
請求項１記載の砕石撒布バケットにおいて、
前記傾斜部は、該傾斜部の端縁をさらに延設するフラットバーを有することを特徴とする砕石撒布バケット。
【考案の詳細な説明】
【技術分野】
【０００１】
本考案は、バックホーのアームの先端に取り付けられて砕石の敷均のために砕石を撒布する砕石撒布バケットに関する。
【背景技術】
【０００２】
従来、この種のバケットとしては、下記特許文献１および２に示すように、上方が開口したバケットの底部にスライド式の仕切り扉を設け、仕切り扉を油圧シリンダにより開閉させることで収納物の投入量を調整可能としたものが知られている。
【先行技術文献】
【特許文献】
【０００３】
【特許文献１】実開平４−１３４５５７号公報
【特許文献２】実開平６−６７４８０号公報
【考案の概要】
【考案が解決しようとする課題】
【０００４】
しかしながら、かかる従来のバケットでは、収納物がコンクリートである場合には、仕切り扉の開閉により投入されるコンクリート流を調整可能とすることができるが、収納物が砕石の場合には、仕切り扉を開いた瞬間に一定量の塊となって落下してしまい、撒布する砕石がまだらの小山となってしまう。
【０００５】
そのため、砕石の敷均として用いる場合には、砕石の小山を改めて均一にする作業が必要となり敷均作業の労力およびコストが嵩むという問題があった。
【０００６】
以上の事情に鑑みて、本考案は、均一に砕石を撒布することができ、敷均作業の労力およびコストを低減することができる砕石撒布バケットを提供することを目的とする。
【課題を解決するための手段】
【０００７】
上記目的を達成するために、第１考案は、バックホーのアームの先端に取り付けられて砕石の敷均のために砕石を撒布する砕石撒布バケットであって、前記バックホーのアームの先端にバケットシリンダにより揺動自在に支持される支持部と、前記支持部に連結された横長の背面部と、前記背面部から湾曲した底部と、前記底部から前記背面部と反対側に延出された平面状の傾斜部と、前記背面部と底部と傾斜部との左右両端に垂直に取り付けられた側板部と、前記背面部と前記傾斜部と前記側板部とに囲まれた開口部とを備え、前記支持部により前記開口部が上方となるように支持されると共に、前記傾斜部は該傾斜部と水平面との挟角が５０°以下となるように前記底部から延出されることを特徴とする。
【０００８】
かかる第１考案の砕石撒布バケットによれば、開口部が上方となるように支持されるため、ホイールローダ等から砕石をそのまま移し替えることができる。さらに、当該砕石撒布バケットは、傾斜部が底部から背面部と反対側に延出されているため、収納される砕石の容量を増大させることができる。
【０００９】
ここで、傾斜部は、水平面との挟角が５０°以下となっている。かかる水平面との挟角は、収納された砕石の上面と傾斜部の挟角に等しい。そのため、バケットシリンダによりバケットを揺動させて、バケット内に収納された砕石を傾斜部に沿って地面に撒布する際には、収納された砕石の上面と傾斜部の挟角を５０°以下の初期角度からさらに小さな角度とすることができる。これにより、収納された砕石を少量ずつ傾斜部の端縁から地面に撒布させることができ、簡易な構成で砕石がまだらの小山となることを防止することができる。
【００１０】
このように、第１考案の砕石撒布バケットによれば、均一に砕石を撒布することができ、敷均作業の労力およびコストを低減することができる。
【００１１】
第２考案の砕石撒布バケットは、第１考案において、前記傾斜部は、該傾斜部の端縁をさらに延設するフラットバーを有することを特徴とする。
【００１２】
かかる第２考案の砕石撒布バケットによれば、傾斜部の端縁をさらに延設することで、収納された砕石を地面に撒布する際に、砕石の上面と傾斜部の挟角をさらに小さな角度とすることができ、収納された砕石をより少量ずつ傾斜部の端縁から地面に撒布させることができる。
【００１３】
このように、第２考案の砕石撒布バケットによれば、より少量ずつ均一に砕石を撒布することができ、敷均作業の労力およびコストを低減することができる。
【図面の簡単な説明】
【００１４】
【図１】砕石撒布バケットの概略図。
【図２】砕石撒布バケットの構成図。
【図３】砕石撒布バケットの使用状態を示す説明図。
【考案を実施するための形態】
【００１５】
本考案の一実施形態としての砕石撒布バケットについて、図１〜図３を参照して説明する。
【００１６】
まず、図１を参照して、本実施形態の砕石撒布バケットの概要について説明する。バックホー１に取り付けられた砕石撒布バケット２は、最終処分場において、無機廃棄物を含む盛土材Ｗと砕石とを積層させて締め固めを行う際に、敷均する砕石の撒布のために用いられる。
【００１７】
具体的には、砕石撒布バケット２は、バックホー１のアーム１０の先端をその揺動方向に対して垂直に貫く貫通孔に取り付けられた第１ピン１１により枢支されると共に、バケットシリンダ１２に連結されたリンク１３の先端に、第１ピン１１と平行に取り付けられた第２ピン１４により枢支される。
【００１８】
そして、バケットシリンダ１２を伸縮させることにより、砕石撒布バケット２は第１ピン１１を中心に前後に回動することで揺動可能となっている。
【００１９】
なお、本実施形態では、バケットの交換を容易とするために、バックホー１と砕石撒布バケット２との間にアタッチメント部材１５が設けられているが、アタッチメント部材１５を介さず直接バックホー１のアーム１０の先端に砕石撒布バケット２を取り付けてもよい。
【００２０】
次に、図２を参照して、砕石撒布バケット２の構成について説明する。
【００２１】
砕石撒布バケット２は、支持部２１と、背面部２２と、底部２３と、傾斜部２４と、側板部２５と、開口部２６とを備える。
【００２２】
支持部２１は、背面部２２の外面に立設された２つの取付ブラケットであって、バックホー１のアーム１０の先端に取り付けられた第１ピン１１が貫通して軸支される第１軸受２１ａと、バックホー１のリンク１３の先端に取り付けられた第２ピン１４が貫通して軸支される第２軸受２１ｂとが形成されている。
【００２３】
背面部２２は、支持部２１に連結された横長の厚板である。
【００２４】
なお、背面部２２と支持部２１とは、いずれも同じ鋼鉄製であり、支持部２１は、背面部２２に溶接により接合されて一体となっている。また、背面部２２と支持部２１との接合を補強するように、これらの間には補強リブ２２ａ，２２ｂが設けられている。
【００２５】
底部２３は、背面部２２から湾曲した断面円弧の樋状の形状であって、背面部２２と同様の鋼鉄製の部材で構成される。
【００２６】
傾斜部２４は、底部２３から背面部２２と反対側に延出された平面状の部材であって、背面部２２と同様の鋼鉄製となっている。
【００２７】
ここで、傾斜部２４は、底部２３に対して、背面部２２よりも突出した形状となっている。すなわち、傾斜部２４は、底部２３に対して背面部２２とは非対称に、より外側に開いた形状となっており、その開き角度は、後述するように、使用時の傾斜部２４と水平面との挟角θが５０°となるように設計されている。
【００２８】
傾斜部２４の先端縁には、端縁をさらに延設するようにフラットバー２７が取り付けられている。フラットバー２７は、傾斜部２４と同様の鋼鉄製の部材を溶接により傾斜部と接合してもよく、傾斜部２４に係合部等を設けて着脱自在に構成してもよい。
【００２９】
なお、背面部２２と底部２３と傾斜部２４とは、１枚の厚板を変形させることにより一体に構成されてもよく、別々の部材を溶接により接合することにより一体に構成されてもよい。さらに、これらの部材２２〜２４とフラットバー２７とを一体に構成してもよい。
【００３０】
側板部２５は、背面部２２と底部２３と傾斜部２４との左右両端に垂直に取り付けられる鋼鉄製の部材であって、これらとは溶接により接合されて一体となっている。
【００３１】
開口部２６は、背面部２２と傾斜部２４と側板部２５，２５とに囲まれた開口であって、砕石撒布バケット２への収納物を収納する際の投入口、および収納物を排出する際の排出口として機能する。
【００３２】
なお、背面部２２および傾斜部２４には、必要に応じてリブ２８を設けて強度を向上させるようにしてもよい。
【００３３】
次に、図１および図３を参照して、砕石撒布バケット２の使用方法について説明する。
【００３４】
図１に示すように、最終処分場において、バックホー１は、既に無機廃棄物を含む地面が締め固めされた盛土Ｘに敷かれた鉄板Ｙ上に位置する。一方、バックホー１に取り付けられた砕石撒布バケット２は、無機廃棄物を新たに埋め立てる仮枠Ｚ上で砕石の撒布のために用いられる。
【００３５】
より具体的には、仮枠Ｚ内に投入され締め固めされた無機廃棄物を含む盛土材Ｗ上に、砕石を積層させるように、敷均する砕石の撒布のために用いられる。
【００３６】
本実施形態の砕石撒布バケット２は、支持部２１により、開口部２６が上方となるようにバックホー１の先端に支持される。
【００３７】
そして、バックホー１のキャビン内の運転席に着席した操作者は、操縦レバー（図示省略）を操作することにより、バケットシリンダ１２を介して砕石撒布バケット２を揺動させることが可能となっている。
【００３８】
実際に、砕石の敷均に砕石撒布バケット２を用いる場合には、まず、操作者は、バックホー１のアーム１０を降下させて地面に近い位置または地面に底部２３を接触させた状態で停止させる。この状態で、開口部２６は上方に開放されているため、図示しないホイールローダのバケット等から、開口部２６を介して砕石撒布バケット２の内部に直に砕石が投入される。
【００３９】
このとき、図３（ａ）に示すように、傾斜部２４は、傾斜部２４と水平面Ｇとの挟角θが５０°となっている。そのため、底部２３に対して傾斜部２４の開き角度を鈍角（１３０°）にすることができ、砕石の収納量を増大させることができる。
【００４０】
次に、操作者は、バックホー１のアームを上昇させると共に、砕石撒布バケット２を敷均を行う盛土材Ｗ上へ移動させる。
【００４１】
このとき、図３（ａ）に示すように、傾斜部２４と水平面Ｇとの挟角θは、収納された砕石（図中斜線部）の上面と傾斜部の挟角θに等しい５０°となっている。
【００４２】
この状態から操作者が、収納された砕石を撒布するように、砕石撒布バケット２を傾斜部２４の先端側へ傾けると、図３（ｂ）に示すように、収納された砕石（図中斜線部）の上面と傾斜部との挟角θ´は５０°よりも小さな角度となる。
【００４３】
そして、傾斜部２４の先端側にフラットバー２７が設けられていることから、図３（ｃ）に示すように、収納された砕石（図中斜線部）がフラットバー２７の先端から地面に撒布されるときには、収納された砕石の上面と傾斜部との挟角θ´´はθ´よりも小さな角度となる。
【００４４】
そのため、収納された砕石は、傾斜部２４の先端側に少量ずつ送られて端縁から地面に撒布されることから、敷均のために砕石を撒布する際に砕石がまだらの小山となることを防止して均一に撒布することができる。
【００４５】
以上説明したように、本実施形態の砕石撒布バケット２によれば、均一に砕石を撒布することができ、敷均作業の労力およびコストを低減することができる。
【００４６】
なお、本実施形態では、傾斜部２４の端縁にフラットバー２７を設けた場合について説明したが、フラットバー２７は必要に応じて適宜省略されてもよい。
【００４７】
また、本実施形態では、図３（ａ）において、傾斜部２４は、傾斜部２４と水平面Ｇとの挟角θが５０°の場合について説明したが、これに限定されるものではなく、５０°以下の角度であれば、４５°、４０°、３０°などであってもよい。
【符号の説明】
【００４８】
１…バックホー、２…砕石撒布バケット、１０…アーム、１２…バケットシリンダ、２１…支持部、２２…背面部、２３…底部、２４…傾斜部、２５…側面部、２７…フラットバー、Ｘ…盛土、Ｙ…鉄板、Ｚ…仮枠、Ｗ…無機廃棄物を含む盛土材。
【図１】
0003177722.tif 000003
【図２】
0003177722.tif 000004
【図３】
0003177722.tif 000005
【手続補正書】
【提出日】平成24年6月18日(2012.6.18)
【手続補正１】
【補正対象書類名】図面
【補正対象項目名】図１
【補正方法】変更
【補正の内容】
【図１】
0003177722.tif 000006